(57)【特許請求の範囲】
【請求項１】
空気取入口と空気供給口との間の空気流路に、除湿と冷却を行うための冷水循環式の冷却コイルと、気化式加湿器と、前記気化式加湿器による気化式加湿を可能とするためにその上流側に配設された温水循環式の第１の加熱コイルと、供給空気の乾球温度を調整するための温水循環式の第２の加熱コイルとを備え、
前記第１の加熱コイルは、複数段のコイルを含み、
前記複数段のコイルは、前段のコイルから後段のコイルの順に温水が流れるように連通され、
前記気化式加湿器は、複数段の加湿器を含み、
前記複数段の加湿器は、それぞれ前記各複数段のコイルの下流側に配設され、
前記空気供給口近傍に、露点センサ及び乾球温度センサを配設し、
前記露点センサの検出値に基づいて前記冷却コイルの冷水流量を制御することによる所定量の除湿と、前記露点センサの検出値に基づいて前記第１の加熱コイルの温水流量を制御しつつその下流側の気化式加湿を行うことによる所定量の加湿と、前記乾球温度センサの検出値に基づいて前記冷却コイルの冷水流量を制御することによる所定量の冷却と、前記乾球温度センサの検出値に基づいて前記第２の加熱コイルの温水流量を制御することによる所定量の加熱とを選択的に行うことにより、供給空気の湿度と温度をあらかじめ定められた一定の値とすることが可能な制御装置を設けたことを特徴とする空気調和機。
【請求項２】
空気取入口から導入した空気の温度及び湿度を調整して空気供給口から供給する湿度制御方法において、
前記空気供給口近傍に配設された露点センサの検出値に基づいて、冷水循環式の冷却コイルの冷水流量を制御することによる所定量の除湿と、
前記露点センサの検出値に基づいて、多段構成で前段から後段の順に温水が流れる温水循環式の第１の加熱コイルの温水流量を制御しつつ、前記第１のコイルの各段のそれぞれの下流側に配設された複数段の気化式加湿器による加湿を行うことによる所定量の加湿と、
前記空気供給口近傍に配設された乾球温度センサの検出値に基づいて、前記冷却コイルの冷水流量を制御することによる所定量の冷却と、
前記乾球温度センサの検出値に基づいて、前記気化式加湿器の下流側に配設された温水循環式の第２の加熱コイルの温水流量を制御することによる所定量の加熱と、
を選択的に行うことにより、供給空気の湿度と温度をあらかじめ定められた一定の値とすることを特徴とする湿度制御方法。
【発明の詳細な説明】
【０００１】
【発明の属する技術分野】
本発明は、加湿器として気化式加湿器を用いた空気調和機及び湿度制御方法に関する。
【０００２】
【従来の技術】
電子工業や精密機械工業の工場、食品保存用の貯蔵庫、実験用動物飼育室、バイオロジカルクリーンルームなどにおいては、温度・湿度などの室内環境を一定に保つ必要がある。このため、かかる設備においては、室内の恒温・恒湿を目的とした空気調和機が設置されている。
【０００３】
このような空気調和機として、従来から提案されているものの一例を、図４を参照して以下に説明する。すなわち、図中、左側を空気取入口、右側を空気供給口とするハウジング１の内部には、空気取入口側から、外気の塵埃を取り除くフィルタ２、循環する冷水によって空気を冷却する冷却コイル３、循環する温水によって空気を加熱する加熱コイル４、ボイラで発生させた蒸気を空気の通過過程に供給して加湿する蒸気式加湿器５、ハウジング１外へ空気を吐出す送風機６が配設されている。フィルタ２としては、例えば、中性能若しくはＨＥＰＡフィルタが用いられる。
【０００４】
冷却コイル３、加熱コイル４及び蒸気式加湿器５には、それぞれ冷水、温水及び蒸気の流量を制御するバルブ７，８，９が設けられている。また、加湿空気の供給口には、露点温度センサ１０ａ、乾球温度センサ１０ｂが取り付けられている。これらの露点温度センサ１０ａ及び乾球温度センサ１０ｂは、制御器１０ｃに接続されている。制御器１０ｃは、露点温度センサ１０ａからの検出温度に基づいて、供給空気の温湿度があらかじめ定められた一定の値となるように、バルブ７，９を調節し、冷却コイル３内の冷水、蒸気式加湿器５の蒸気の量を比例制御するように構成されている。また、制御器１０ｃは、乾球温度センサ１０ｂからの検出温度に基づいて、供給空気の乾球温度があらかじめ定められた一定の値となるように、バルブ７，８を調節し、冷却コイル３内の冷水、加熱コイル４内の温水の量を比例制御するように構成されている。
【０００５】
以上のような従来技術による温度及び湿度制御を、室内側の設定温度を２３℃、設定相対湿度を４５％とした場合を例として、図５の湿り空気線図を参照して以下に説明する。なお、図５に示したＢｗ〜Ｅｗ、Ｂｓ〜Ｃｓは、図３で示したＢ〜Ｅの位置における空気の状態に対応している。
【０００６】
すなわち、冬季などの空気の加熱及び加湿が必要な場合には、送風機６を作動させるとともに、加熱コイル４及び蒸気式加湿器５のバルブ８，９を開とする。ハウジング１の空気取入口（Ｂ点）から流入した外気は、フィルタ２を介して塵埃が濾過された後、加熱コイル４によって加熱される（Ｄ点）。これにより、図５のＢｗとＤｗを結ぶ実線で示すように、乾球温度が推移する。
【０００７】
そして、加熱された空気は、蒸気式加湿器５による加湿が行われ（Ｅ点）、送風機６によって供給口から供給される。なお、蒸気加湿は加熱を伴うので、図５のＤｗとＥｗを結ぶ実線で示すように、乾球温度及び相対湿度が推移する。
【０００８】
一方、夏季などの空気の除湿が必要な場合には、送風機６を作動させるとともに、冷却コイル３のバルブ７を開とする。ハウジング１の空気取入口（Ｂ点）から流入した外気は、フィルタ２を介して塵埃が濾過された後、冷却コイル３によって冷却される（Ｃ点）。これにより、図５のＢｓとＣｓを結ぶ点線で示すように、乾球温度及び相対湿度が推移する。なお、冷却された空気は、室内設定温度に応じて、加熱コイル４による再熱が行われ（Ｄ点）、送風機６によって供給口から供給される。この再熱は、例えば、室内冷却負荷発生量が少ない場合に、恒温・恒湿を達成するために必要となる。
【０００９】
【発明が解決しようとする課題】
ところで、上記のような蒸気式加湿器による加湿の場合には、１００℃以上の熱源が必要でありボイラなどからの供給蒸気を用いるためにエネルギーコストがかかる。また、蒸気式加湿器は、蒸気加湿位置と送風機などまでの位置を離して、蒸気が流通空気に分散吸収されるまでの蒸発吸収距離を長くとる必要があるため、これにより空気調和機の寸法が長くなる。さらに、上記の従来技術では、湿度制御は蒸気式加湿器の蒸気量を制御することによって行っているが、蒸気式加湿器は局所的な加湿のためにムラが出易く、センサの適切な設置位置を決めることが困難であり、下流側の湿度分布を均一にし難い。
【００１０】
これに対処するため、比較的低温のエネルギーを用いて加湿ができる気化式加湿器を用いる方法が考えられる。しかし、気化式加湿器による加湿は温度低下を伴うので、単純に上述のような従来技術に適用するだけでは、充分な加湿量と制御精度を得ることは困難であり、例えば、温水温度が比較的高く、加湿により乾球温度が下がっても充分な加湿量が得られる温度まで加熱が可能で、湿度の精度があまり問題とならないＯＮ・ＯＦＦ制御の場合などに適用が限定される。このため、動物舎や半導体工場のような高精度の温湿度制御を必要とする場合には用いられることはなかった。
【００１１】
本発明は、前記のような従来技術の問題点を解決するために提案されたものであって、その目的は、ランニングコストを低減することができ、大型化を抑えて高精度の制御ができる空気調和機及び湿度制御方法を提供することにある。
【００１２】
【課題を解決するための手段】
上記の目的を達成するため、請求項１記載の発明である空気調和機は、空気取入口と空気供給口との間の空気流路に、除湿と冷却を行うための冷水循環式の冷却コイルと、気化式加湿器と、前記気化式加湿器による気化式加湿を可能とするためにその上流側に配設された温水循環式の第１の加熱コイルと、供給空気の乾球温度を調整するための温水循環式の第２の加熱コイルとを備え、前記第１の加熱コイルは、複数段のコイルを含み、前記複数段のコイルは、前段のコイルから後段のコイルの順に温水が流れるように連通され、前記気化式加湿器は、複数段の加湿器を含み、前記複数段の加湿器は、それぞれ前記各複数段のコイルの下流側に配設され、前記空気供給口近傍に、露点センサ及び乾球温度センサを配設し、前記露点センサの検出値に基づいて前記冷却コイルの冷水流量を制御することによる所定量の除湿と、前記露点センサの検出値に基づいて前記第１の加熱コイルの温水流量を制御しつつその下流側の気化式加湿を行うことによる所定量の加湿と、前記乾球温度センサの検出値に基づいて前記冷却コイルの冷水流量を制御することによる所定量の冷却と、前記乾球温度センサの検出値に基づいて前記第２の加熱コイルの温水流量を制御することによる所定量の加熱とを選択的に行うことにより、供給空気の湿度と温度をあらかじめ定められた一定の値とすることが可能な制御装置を設けたことを特徴とする。
【００１３】
請求項２記載の発明は、空気取入口から導入した空気の温度及び湿度を調整して空気供給口から供給する湿度制御方法において、前記空気供給口近傍に配設された露点センサの検出値に基づいて、冷水循環式の冷却コイルの冷水流量を制御することによる所定量の除湿と、前記露点センサの検出値に基づいて、多段構成で前段から後段の順に温水が流れる温水循環式の第１の加熱コイルの温水流量を制御しつつ、前記第１のコイルの各段のそれぞれの下流側に配設された複数段の気化式加湿器による加湿を行うことによる所定量の加湿と、前記空気供給口近傍に配設された乾球温度センサの検出値に基づいて、前記冷却コイルの冷水流量を制御することによる所定量の冷却と、前記乾球温度センサの検出値に基づいて、前記気化式加湿器の下流側に配設された温水循環式の第２の加熱コイルの温水流量を制御することによる所定量の加熱と、を選択的に行うことにより、供給空気の湿度と温度をあらかじめ定められた一定の値とすることを特徴とする。
【００１４】
以上のような請求項１及び請求項２記載の発明では、冬季等の加熱加湿時には、空気取入口から流入した空気は、第１の加熱コイルによる加熱と気化式加湿器による加湿、さらに第２の加熱コイルによる加熱が行われた後に、空気供給口から供給される。このとき、露点センサの検出値に基づいて、第１の加熱コイルの温水流量を制御することによって、必要量の加湿が可能となる。従って、蒸気式加湿のような加湿蒸気が不要となり、例えば、冷凍機冷却水などから大量に安定して得ることができる３０℃〜４０℃程度の低温の温水を熱源とする加熱が可能となるので、ランニングコストを節約して、省エネルギーを実現できる。そして、気化式加湿器は空気路全体に設置されるために均一に加湿することができ、その加湿量の制御は、空気供給口近傍に配設された露点センサの検出値に基づいて、第１の加熱コイルの温水流量を制御することによって行うので、絶対湿度に基づく高精度の湿度制御が可能となる。また、第１の加熱コイルによる加熱と気化式加湿器による加湿とを複数回行うことによって、気化式加湿による温度低下を補いながら、目的の湿度まで加湿することができる。さらに、蒸気式加湿のような蒸発吸収距離が不要となるので、流路方向において大幅な小形化を実現できる。
【００１５】
【発明の実施の形態】
以下、本発明の空気調和機の実施の形態を、図面に基づいて具体的に説明する。なお、図４で示した従来技術と同様の部材は同一の符号を付して、説明を省略する。
【００１６】
１．第１の実施の形態
１−１．構成
まず、本発明の第１の実施の形態を、図１及び図２を参照して説明する。なお、本実施の形態は、加熱に用いる温水の温度が、例えば３０℃〜４０℃程度の低い温度の場合に適用される実施の形態である。すなわち、ハウジング１の内部には、空気取入口側から、フィルタ２、加熱コイル４０、気化式加湿器５０、冷却コイル３、加熱コイル６０及び送風機６が配設されている。
【００１７】
加熱コイル４０は、上流側の前段コイル４１と、下流側の後段コイル４２の二つに分岐して設けられている。そして、前段コイル４１から後段コイル４２の順に温水が流れるように、両コイルは連通されている。但し、前段コイル４１及び後段コイル４２を流れる温水は、空気流に対して対向流となるように、それぞれの温水入口側は、風下に設定されている。
【００１８】
気化式加湿器５０は、前段コイル４１の下流側に配置された第１加湿器５１と、後段コイル４２の下流側に配置された第２加湿器５２の２段構成となっている。この気化式加湿器５０は、給水管５０ａから水を滴下し、表面を濡れ面となるようにした加湿モジュール５０ｂに、空気を通過させて加湿を行うものである。なお、気化式加湿器５０は、それぞれ飽和効率８０％程度のものを用いることが望ましいが、これ以下の飽和効率のものであっても適用可能である。
【００１９】
そして、各加湿モジュール５０ｂから落下した余分な水は、下部に配置された水槽５０ｃに回収され、ポンプ５０ｄによって給水管５０ａに循環供給されるように、配管が接続されている。また、冷却コイル３及び加熱コイル６０を流れる冷水及び温水は、空気流に対して対向流となるように、それぞれの冷水及び温水の入口側は、風下に設定されている。
【００２０】
以上のような加熱コイル４０、冷却コイル３及び加熱コイル６０には、それぞれ冷水及び温水の流量を制御するバルブ８０，７，９０が設けられている。また、加湿空気の供給口には、供給空気の露点温度を検出する露点温度センサ１１と、供給空気の乾球温度を検出する乾球温度センサ１２とが取り付けられている。そして、バルブ８０，７及び露点温度センサ１１は、制御器１１ａに接続されている。また、バルブ７，９０及び乾球温度センサ１２は、制御器１２ａに接続されている。
【００２１】
制御器１１ａは、露点温度センサ１１によって検出される露点温度に基づいて、加熱コイル４０の温水の量を比例制御するように構成されている。制御器１２ａは、乾球温度センサ１２によって検出される乾球温度に基づいて、加熱コイル６０の温水の量を比例制御するように構成されている。なお、冷却コイル３に対しては、従来と同様に、露点温度センサ１１及び乾球温度センサ１２の検出値に基づいて、制御器１１ａ，１２ａによる比例制御が行われる構成となっている。
【００２２】
１−２．作用
以上のような構成を有する本実施の形態の作用を、室内側の設定温度を２３℃、設定相対湿度を４５％とした場合を例として、図２の湿り空気線図を参照して、加熱加湿時（主として冬季）と、冷却除湿時（主として夏季）に分けて説明する。なお、図２に示したＢｗ〜Ｆｗ、Ｂｓ〜Ｇｓは、図１で示したＢ〜Ｇの位置における空気の状態に対応している。また、温度及び湿度等の具体的な値は例示であり、本発明がこれらの数値に限定されるものではない。また、ファンによる昇温とこれによる相対湿度低下は、理解を容易にするために、ここでは考えないものとする。
【００２３】
１−２−１．加熱加湿時
冬季のように空気の加熱加湿が必要な場合には、送風機６及び気化式加湿器５０を作動させるとともに、加熱コイル４０のバルブ８０を開とする。ハウジング１の空気取入口（Ｂ点）から流入した空気は、フィルタ２を介して塵埃が濾過された後、前段コイル４１によって加熱される（Ｃ点）。これにより、図２のＢｗとＣｗとを結ぶ実線で示すように、乾球温度が推移する。
【００２４】
前段コイル４１で加熱された空気は、第１加湿器５１による加湿が行われる（Ｄ点）。このとき、気化式加湿は温度低下を伴うので、図２のＣｗとＤｗとを結ぶ実線で示すように、乾球温度及び相対湿度が推移する。第１加湿器５１で加湿された空気は、後段コイル４２によって加熱される（Ｅ点）。これにより、図２のＤｗとＥｗとを結ぶ実線で示すように、乾球温度が推移する。
【００２５】
後段コイル４２によって加熱された空気は、第２加湿器５２によって加湿され（Ｆ点）、送風機６によって供給口から供給される。これにより、図２のＥｗとＦｗを結ぶ実線で示すように、乾球温度及び相対湿度が推移する。
【００２６】
気化式加湿器５０は、それぞれ飽和効率８０％のものを用いている。前段の加熱後に第１段の加湿を行ない、後段の加熱の後に第２の加湿を行うという過程を経るが、出口側露点温度センサ１１により加熱温度を制御しているために、図１のＦ点における空気は、絶対湿度をあらかじめ定められた一定の値とすることができる。ここで、飽和効率ηｓ  は、入口空気乾球温度をｔ１、入口空気湿球温度をｔ１’、出口空気乾球温度をｔ２とすると、以下の式１によって表される。
【００２７】
【数１】
ηｓ＝（ｔ１−ｔ２）／（ｔ１−ｔ１’）          …式１
これを、図２に示した例で具体的な数値を当てはめて示すと、点Ｃ〜Ｆにおける出口空気乾球温度は、以下のように推移する
【数２】
Ｄｗ：（２２−ｔ２）／（２２−９）＝０．８    …式２
従って、点Ｃから点Ｄ、すなわちＣｗ→Ｄｗの過程で、ｔ２＝１１．６（℃）となる。
【数３】
Ｆｗ：（１８−ｔ２）／（１８−１１．８）＝０．８    …式３
従って、点Ｅから点Ｆ、すなわちＥｗ→Ｆｗの過程で、ｔ２＝１３．０４（℃）となる。
【００２８】
以上のように、Ｃ点においては乾球温度２２℃、Ｄ点においては乾球温度１１．６℃、Ｅ点においては乾球温度１８．０℃、Ｆ点においては乾球温度１３．０４℃、となり、この過程で相対湿度及び絶対湿度が上昇していく。加熱コイル４０を流れる温水の温度は、例えば、前段コイル４１に流入する温水が３５℃〜３６℃程度とすると、前段コイル４１における熱交換後に後段コイル４２に流入する温水は３０℃〜２９℃程度となり、これによって上記のような加熱が行われる。
【００２９】
上述の加熱コイル４０における温水の流量は、供給口に設置された露点温度センサ１１によって検出される露点温度値に基づいて、供給空気の絶対湿度が、室内設定温度との関係で室内設定湿度（相対湿度）を満たす値となるように、制御器１２ａがバルブ８０の開度を比例制御することによって調節される。
【００３０】
なお、室内設定温度との関係で、さらに再熱が必要となる場合には、バルブ９０が開とされて、加熱コイル６０による加熱が行われる（Ｈ点）。加熱コイル６０における温水の流量は、給気口に設置された乾球温度センサ１２によって検出される乾球温度に基づいて、供給空気の乾球温度が室内設定温度との関係で最適な値となるように、制御器１２ａがバルブ９０を比例制御することによって調節される。
【００３１】
１−２−２．冷却除湿時
次に、夏季などの空気の除湿が必要な場合には、送風機６を作動させるとともに、冷却コイル３のバルブ７を開とする。ハウジング１の空気取入口（Ｂ点）から流入した空気は、フィルタ２を介して塵埃が濾過された後、冷却コイル３によって冷却され（Ｇ点）、送風機６によって供給口から供給される。これにより、図２のＢｓとＧｓとを結ぶ点線で示すように、乾球温度及び相対湿度が推移する。冷却コイル３における冷水の流量は、供給口に設置された露点温度センサ１１及び乾球温度センサ１２に基づいて、供給空気の絶対湿度が、室内設定温度との関係で室内設定湿度（相対湿度）を満たす値となるように、制御器１１ａ，１２ａがバルブ７の開度を比例制御することによって調節される。なお、室内設定温度との関係で、さらに加熱が必要となる場合には、バルブ９０が開とされて、上述と同様に、加熱コイル６０による加熱が行われる（Ｈ点）。
【００３２】
１−３．効果
以上のような本実施の形態の効果は、以下の通りである。すなわち、蒸気式加湿器において必要であった高温のエネルギーが不要となるので、ランニングコストを大幅に低減することができる。特に、加熱コイル４０，６０において使用するような、比較的低温度の温水は、例えば、冷凍機冷却水などから大量に安定して得ることができるので、エネルギー消費量を大幅に低減することができ、コストの節約が可能となる。
【００３３】
また、空気路全体の均一な加湿が可能な気化式加湿器５０による加湿量を、露点温度に基づく加熱コイル４０の温水流量の調節によって、比例制御することができるので、絶対湿度に基づく高精度の湿度制御が可能となる。
【００３４】
また、加熱コイル４０による加熱と気化式加湿器５０による加湿とを複数回行うことによって、気化式加湿による温度低下を補いながら、目的の湿度まで加湿することができる。そして、最下流の加熱コイル６０を用いることによって、供給空気を目標温度にすることができる。
【００３５】
さらに、本実施の形態は、複数の加熱コイル４０，６０と気化式加湿器５０を備えているが、蒸気式加湿器を用いた場合のような蒸発吸収距離が不要となるので、上述の従来技術とほぼ同様の大きさとすることができ、大型化を抑制することが可能となる。
【００３６】
２．第２の実施の形態
２−１．構成
次に、本発明の第２の実施の形態を、図２及び図３を参照して以下に説明する。なお、本実施の形態は、加熱に用いる温水の温度が、例えば４０℃以上の高い温度の場合に適用される実施の形態である。すなわち、本実施の形態は、図３に示すように、上記の第１の実施の形態において、交互に配設されていた加熱コイル４０´及び気化式加湿器５０´を、それぞれ一台ずつとして、空気取入口から給気口までの長さを縮小したものである。なお、その他の構成は、第１の実施の形態と同様である。
【００３７】
２−２．作用
以上のような本実施の形態の作用を、上記の第１の実施の形態と同様の条件で説明する。なお、図２に示したＢ´ｗ〜Ｄ´ｗ、Ｂ´ｓ〜Ｅ´ｓは、図３で示したＢ´〜Ｅ´の位置における空気の状態に対応している。すなわち、冬季のように空気の加熱加湿が必要な場合には、送風機６及び気化式加湿器５０を作動させるとともに、加熱コイル４０´のバルブ８０を開とする。ハウジング１の空気取入口（Ｂ点）から流入した空気は、フィルタ２を介して塵埃が濾過された後、加熱コイル４０´によって加熱される（Ｃ´点）。これにより、図２のＢ´ｗとＣ´ｗとを結ぶ一点鎖線で示すように、乾球温度が推移する。
【００３８】
加熱コイル４０´で加熱された空気は、気化式加湿器５０´による加湿が行われる（Ｄ´点）。このとき、気化式加湿は温度低下を伴うので、図２のＣ´ｗとＤ´ｗとを結ぶ一点鎖線で示すように、乾球温度及び相対湿度が推移する。これを、上記の式１に具体的な数値例を当てはめて示すと、点Ｃ´〜Ｄ´における出口空気乾球温度は、以下のように推移する
【数４】
Ｄ´ｗ：（３２−ｔ２）／（３２−１３）＝０．８    …式４
従って、点Ｃ´から点Ｄ´、すなわちＣ´ｗ→Ｄ´ｗの過程で、ｔ２＝１６．８（℃）となる。なお、その他の作用は、上記の第１の実施の形態と同様である。
【００３９】
２−３．効果
以上のような本実施の形態によれば、高温の温水を利用することを前提としたので、加熱コイル６０´及び気化式加湿器５０´の台数を省略しても、上記の第１の実施の形態と同様の作用効果が得られるとともに、全長を大幅に縮小することができ、小形の空気調和機を構成できる。
【００４０】
３．他の実施の形態
本発明は上記のような実施の形態に限定されるものではない。例えば、加熱コイルや気化式加湿器の能力、温水温度や室内温湿度、制御温湿度の精度に応じて、加熱コイル及び気化式加湿器による加熱加湿を３段以上の多段階で行う方式が考えられる。また、外気処理専用の空気調和機だけでなく、外気と室内からの空気を混合して処理する循環用空気調和機にも適用することができる。
【００４１】
また、気化式加湿器への加湿水の補給は、必ずしも循環式とする必要はない。一般空調において気化式加湿を行う場合には、市水を利用して加湿量の２０〜３０％を連続排水しながら１パスで行うのが一般的である。また、冷却コイルへの冷水の供給源や加熱コイルへの温水の供給源は、どのようなものであってもよい。
【００４２】
また、例えば、気化式加湿器の加湿モジュールをそれぞれ横引出し式にすれば、空気流通方向のメンテナンススペースが不要となり、設置スペース長さをさらに縮小することができる。さらに、冷却コイルや加熱コイルは、入力熱量が制御できる冷却あるいは加熱用の熱交換器であれば、その種類を問わない。
【００４３】
【発明の効果】
以上説明したように、本発明によれば、ランニングコストを低減することができ、大型化を抑えて高精度の制御が可能な空気調和機及び湿度制御方法を提供することができる。
【図面の簡単な説明】
【図１】本発明の空気調和機の第１の実施の形態を示す構成図である。
【図２】図１及び図３の実施の形態による温度及び湿度制御の一例を示す湿り空気線図である。
【図３】本発明の空気調和機の第２の実施の形態を示す構成図である。
【図４】従来の空気調和機の一例を示す構成図である。
【図５】図４の従来技術による温度及び湿度制御の一例を示す湿り空気線図である。
【符号の説明】
１…ハウジング
２…フィルタ
３…冷却コイル
４，４０，４０´，６０…加熱コイル
５…蒸気式加湿器
６…送風機
７，８，９，８０，９０…バルブ
１０ａ，１１…露点温度センサ
１０ｂ，１２…乾球温度センサ
１０ｃ，１１ａ，１２ａ…制御器
４１…前段コイル
４２…後段コイル
５０，５０´…気化式加湿器
５１…第１加湿器
５２…第２加湿器
５０ａ…給水管
５０ｂ…加湿モジュール
５０ｃ…水槽
５０ｄ…ポンプ
【図１】
0003545315.tif 000002
【図２】
0003545315.tif 000003
【図３】
0003545315.tif 000004
【図４】
0003545315.tif 000005
【図５】
0003545315.tif 000006